(57)【要約】【課題】  繊維ロープ全体への処理剤のより均一な分布が達成される処理剤の付与方法を提供する。【解決手段】  染色機での繊維ロープへの処理剤の均一付与方法では、連続したロープ４が、気体の給送媒体により力を受けるベンチュリ給送ノズル６により、閉じられた槽１内で回転され、これにより、液体の処理剤の作用を受ける。処理剤は、ロープ４と接触することなく、ロープ４から離間したチャンバ２２に貯蔵され、ロープ４から排出された処理剤と混合することなく、時間の関数として制御される単位時間当たりの処理剤量で、ロープ４に作用するようにされる。【選択図】  図１
2006348459.tif 000002
【特許請求の範囲】
【請求項１】
気体給送媒体により力を受けるベンチュリ給送ノズルにより連続したロープを閉じられた容器内で回転するステップと、
前記ロープに液体の処理剤の作用を受けさせるステップと、
を備え、
前記処理剤は、前記ロープに接触することなく、前記ロープから離間されたチャンバに貯蔵され、このチャンバから前記処理剤が、時間の関数として制御された単位時間当たりの処理剤量で前記移動するロープに作用するようにされ、
前記処理剤が、前記離間したチャンバから単独で採取されて、前記ロープから排出された前記処理剤と混合することなく、前記ロープに付与される、
染色機での繊維ロープへの処理剤の均一付与方法。
【請求項２】
前記ロープから排出された前記処理剤が、前記ロープに作用することなく、収集チャンバに捕捉される、ことを特徴とする請求項１に記載の方法。
【請求項３】
前記容器、またはこれと連通する収集チャンバに配置された前記処理剤が、前記ロープから離間した前記チャンバに搬送される、ことを特徴とする請求項１又は２に記載の方法。
【請求項４】
補助薬剤が、前記離間したチャンバの前記処理剤に加えられる、ことを特徴とする請求項３に記載の方法。
【請求項５】
前記離間したチャンバの前記処理剤が調整されるとともに、他の独立の処理が前記ロープに実行されて、前記ロープに付与される、ことを特徴とする請求項１乃至４のいずれか１項に記載の方法。
【請求項６】
前記ロープの回転速度と前記ロープへの前記処理剤の付与時間とが、互いに適合する、ことを特徴とする請求項１乃至５のいずれか１項に記載の方法。
【請求項７】
前記ロープに付与される単位時間当たりの前記処理剤量が、前記ロープの回転速度の関数として制御される、ことを特徴とする請求項１乃至６のいずれか１項に記載の方法。
【請求項８】
前記ロープの回転速度が、前記ロープへの前記処理剤の付与中、一定に保持される、ことを特徴とする請求項１乃至７のいずれか１項に記載の方法。
【請求項９】
前記ロープの回転速度が、前記ロープへの前記処理剤の付与中に変更される、ことを特徴とする請求項１乃至７のいずれか１項に記載の方法。
【請求項１０】
前記ロープへの前記処理剤の付与時に、前記処理剤の容積流れが一定に保持される、ことを特徴とする請求項１乃至９のいずれか１項に記載の方法。
【請求項１１】
前記ロープへの前記処理剤の付与時に、前記処理剤の容積流れが変更される、ことを特徴とする請求項１乃至１０のいずれか１項に記載の方法。
【請求項１２】
前記ロープに付与される前記処理剤の量が、前記離間したチャンバからの前記処理剤の好適な抜き出しにより決定される、ことを特徴とする請求項１乃至１１のいずれか１項に記載の方法。
【請求項１３】
前記ロープに付与される前記処理剤の量が、前記離間したチャンバ内へのさらなる処理剤の好適な追加により決定される、ことを特徴とする請求項１乃至１１のいずれか１項に記載の方法。
【請求項１４】
閉じられた槽（１）と、
前記槽（１）に対応し、気体の給送媒体により力を受けるベンチュリ給送ノズルシステム（６）と、
前記給送ノズルシステム（６）により前記槽（１）内で回転される回転ロープに液体の処理剤を付与する機構と、
を備え、
該装置は、前記ロープから離間したチャンバを形成する調整槽（２２）と、前記調整槽に保持された前記処理剤を供給する機構（１７）と、を有し、前記調整槽は、前記閉じられた槽（１）から分離されまたは分離可能であり、
前記調整槽（２２）から前記処理剤を、前記ロープから排出された前記処理剤と混合することなく、前記移動するロープに、時間の関数として制御される単位時間当たりの前記処理剤量を作用させる制御手段（４４）が提供される、請求項１乃至１３のいずれか１項に記載の方法を実行する装置。
【請求項１５】
前記調整槽（２２）は、それにより前記調整槽が、液体に関して、前記閉じられた槽（１）から分離可能にされる弁手段（４３）を介して前記閉じられた槽（１）に接続される、ことを特徴とする請求項１４に記載の装置。
【請求項１６】
前記処理剤用のポンプ（１７）が、前記調整槽（２２）に配置され、前記閉じられた槽（１）内の前記ロープに処理剤を付与する機構とライン手段（１８，２１）を介して直接連通する、ことを特徴とする請求項１４又は１５に記載の装置。
【請求項１７】
前記調整槽（２２）は、ライン手段（１６）を介して、前記ロープから排出された処理剤を受ける収集チャンバ（１４）と連通し、前記ライン手段（１６）は、少なくとも遮断弁手段（４３）と、前記収集チャンバに捕捉され、前記調整槽に処理剤を供給するポンプ手段（１７）とを有する、ことを特徴とする請求項１４乃至１６のいずれか１項に記載の装置。
【請求項１８】
前記収集チャンバは、前記閉じられた槽の下方に配置された収集槽（１４）に実施される、ことを特徴とする請求項１７に記載の装置。
【請求項１９】
選択的に起動可能な弁手段（３１，３４，３６，３９）を有するライン手段（３０，３３）を介して前記調整槽（２２）と連通する、補助薬剤用の槽（３５）を備える、ことを特徴とする請求項１５乃至１８のいずれか１項に記載の装置。
【発明の詳細な説明】
【技術分野】
【０００１】
本発明は、染色機での処理剤の繊維ロープへの均一付与方法及び装置に関する。
【背景技術】
【０００２】
ジェット後染機械は、閉じられた槽と、外部から駆動されるウインスにより追加的に補給される槽内の連続したロープが、それによって、所定の回転方向に回転される給送ノズルのシステムとを有する。ロープを移動するために、空気力学原理に基づいて作動する機械におけるガス、空気、または蒸気の流れ、あるいは混合した蒸気及び空気の流れである給送媒体の流れにより、給送ノズルが力を受ける。このタイプの染色機では、給送ノズル領域の処理溶液は、通過する連続したロープに作用するようにされる。過剰な処理溶液は、排出されて槽に捕捉され、液体再循環ポンプにより再循環される。
【０００３】
すべての上記染色機では、商品に付与されるべき処理剤（化学物質及び／又は染料）は、染色機外部に配置された調整容器に最初に提供され、追加的にそこで混合され、必要な場合には定められた温度にされ、そして追加の薬剤ポンプにより染色機の溶液サイクルに導入される。処理剤は、典型的には、計量されて加えられ、すなわち、湿式処理工程中の定められた時間、調整槽に保持された処理剤の量が、射出され、好ましくは供給ノズルの領域で微細に粒子化されて、ロープに付与される。
【０００４】
処理工程をより詳細に見ると、ロープの処理剤濃度は、ロープの回転にともなって増加するが、それと同時に、処理剤濃度が、ロープの開始部でロープの終端より低いことが示される可能性がある。処理剤が、例えばロープの５回転にわたって、計量されて加えられる場合には、ロープの５回目の回転において、達成されるはずの平衡濃度に対応する処理剤のより高い濃度が、ロープ終端に存在する可能性さえある。そして、平衡濃度は、ロープのさらなる回転の後まで達成されない。
【発明の開示】
【発明が解決しようとする課題】
【０００５】
ところが、ロープを処理剤で処理するために、特に染色するためには、処理剤または染料の最も均一な分布が、ロープの長さ全体にわたってなし得るということが重要な前提条件である。そのときのみ、最も均一な染色、言い換えれば一様な染色が期待され得る。
【０００６】
そこで、以前の、２００３年１０月２１日に受理された未公開の独国特許出願第１０３４９３７７号明細書では、湿式処理装置で回転されるロープ全体の処理剤の非常に均一な分布を形成する方法が開示されている。
【０００７】
この方法では、連続したロープが、閉じられた槽内で、気体の給送媒体により力を受けるベンチュリ給送ノズルによって回転される。ロープの回転動作は、液体によってではなく、気体の給送媒体によってのみ維持される。最初に、処理剤が、ロープに接触することなく、ロープから離れたチャンバ、例えば槽内で処理剤サンプを形成し、貯蔵したロープの下流に配置されるチャンバ内に貯蔵される。必要とされるすべての化学物質、染料等が、槽内のこのサンプに配置される。このチャンバに保持された液体の処理剤、すなわち処理溶液は、例えば、処理剤射出サイクルの適宜の切り換えにより、所定の温度にされることが可能で、そして、商品と接触することなく、完全に混合可能である。しかし、チャンバは、槽の外側に、例えば容器内に提供されてもよい。
【０００８】
次の処理ステップで、ロープ全体の処理剤の実質的な均一な分布が達成されるように、新規の処理溶液の形態の処理剤が、時間の関数として制御される単位時間当たりの処理剤量で、移動するロープに付与される。
【０００９】
ロープに処理剤を付与することは、ロープの１以上の回転にわたって実行可能である。商品の移動方向に関して給送ノズル上流及び／又は給送ノズル下流における、給送ノズルへの処理剤の射出の好適なコンピュータ化した制御により、ロープの長さ全体にわたる処理剤の均一な分布が、商品の数回転のみ（概略２乃至３回転）または１回転のみでも達成可能である。
【００１０】
ロープの種々の回転中の処理剤付与の時間行程が、予め、計算モデルで算出可能であり、その場合、ロープへの処理剤の付与は、この計算モデルに応じた制御された方法で実行される。計算モデルによる処理剤のロープへの付与前の計算は、ロープについての商品特性、構造特性及び処理特性データ、及び／又は給送ノズル、及び給送媒体の作用に基づいて実行される。これらのデータは、機械オペレータにより、計算モデルがプログラムされたコンピュータに入力可能であるか、または好適なセンサにより機械で自動的に取得可能である。適用可能なパラメータ及び計算モデルを認識して、コンピュータのプログラムが、可能な限り僅かなロープの回転でロープの長さ全体にわたって処理剤の最適な分布を達成する、移動するロープへの処理剤の時間に応じた付与を自動的に計算する。
【００１１】
この方法の利点は、一方で、ロープ全体への処理剤のより速くかつより均一な分布が達成され、このため、一様染色のための前提条件が形成されるということである。第２に、処理剤の付与が、最初に説明した既知の方法の場合より実質的に少ないロープの回転で実行されるので、処理時間が、顕著に短縮される。
【００１２】
本発明の目的は、上記の以前の特許出願の説明した方法を改良することである。
【課題を解決するための手段】
【００１３】
このために、本発明の方法は、請求項１の特徴を有する。この方法を実行する新規な装置が、請求項１４の対象である。
【００１４】
新規な方法では、処理剤は、離間したチャンバから単独で抜き出されて、ロープから排出された処理剤と混合することなく、ロープに付与される。
【００１５】
そのため、ロープに付与されている処理剤は、常に、同一の濃度である。ロープから排出された処理剤は、給送ノズルに提供される処理剤とは分離してこれと混合されずに搬送される。例えば提供される処理剤の容積流れ、またはロープの回転速度の好適な変動により、処理期間中、回転するロープに作用することになる処理剤の濃度変化を補償する必要性はもはや存在しないので、本方法の実行は、簡略化される。供給ポンプのｒｐｍを決定する制御アルゴリズム、従って輸送される容積流れの制御アルゴリズムによる、ロープに作用することになる処理剤の濃度変動の影響のこの種の補償は、実際には簡単ではない。そのようなアルゴリズムが、実際には容易に知られていない（繊維製品による吸水、繊維製品の保水、再循環される給送ノズル内部の使用された処理剤を新規の処理剤に交換する能力等）多数の変数を含むからである。これらのパラメータは、常に同一の濃度で処理剤を使用する新規な方法に影響しないので、新規な方法は、実際に使用するときに安全でかつ信頼できる。
【００１６】
本発明の改良は、従属クレームの対象であり、添付の図面に示された、本発明の方法の例示的な実施形態の以下の説明から明らかになるであろう。図面では、それぞれの場合に模式的に、以下のことが示される。
【発明を実施するための最良の形態】
【００１７】
図１乃至図４に模式的に示す高温（ＨＴ）後染機械は、蓋２により閉鎖可能で、それによって図１で破線によってのみ示す繊維ロープ４が導入可能な操作開口３が案内される、耐圧の円筒状の槽１を有する。ロープ４は、外部から駆動されるウインス５によって、折り畳み部材７が隣接するベンチュリ給送ノズル６に導びかれる。折り畳み部材７は、そこから連続したロープが再度ウインス５により引き戻される貯蔵容器８に平坦に折られまたは折り畳まれて、ベンチュリ給送ノズル６から出現するロープ４に配置される。ウインス５とベンチュリ給送ノズル６とは、液体密に槽１に結合された筐体部９に収容される。操作開口３を介して導入された後、ロープ４は、その端部が結合されて、商品の連続したループを形成する。
【００１８】
ベンチュリ給送ノズル６は、通過するロープ４を矢印１０により示される方向に回転させる給送媒体の気体流れにより、力を受ける。この場合の給送媒体は、ブロワ１１及び吸込ライン１２により槽１から吸引されて圧力ライン１３を介してベンチュリ給送ノズル６に輸送される空気、または蒸気−空気混合物である。
【００１９】
溶液サンプ１４が、槽１の底部に配置され、溶液フィルタ１５を保持する。溶液サンプ１４は、その圧力ライン１８が熱交換機１９を有し、調整弁２０を介してベンチュリ給送ノズル６に通じる溶液再循環ポンプ１７の吸込ライン１６と連通する。溶液再循環ポンプ１７は、溶液サンプ１４を介して槽１から吸引された溶液が、ベンチュリ給送ノズル６と槽１とを介して循環することを許容する。不図示のバイパスラインが、熱交換機１９及び液体再循環ポンプ１７と並列に配置されてもよく、それは、遮断弁を有し、溶液サンプ１４を、熱交換機に隣接する圧力ライン２１と結合する。
【００２０】
水溶性の溶液、エマルジョンまたは分散液の形態の化学処理剤（化学物質、染料）を有する調整槽２２が提供され、これらは、処理剤ポンプ２３及び接続ライン２４を介して溶液再循環ポンプ１７の吸込ライン１６に導くことができる。
【００２１】
接続ライン２４には、遮断弁２５が存在し、一方で、接続ライン２４に平行なライン２６が提供され、ライン２６は、溶液再循環ポンプの圧力ライン１８に通じ、遮断弁２７を有し、調整槽２２に直接導く。遮断弁２９を有する第２の接続ライン２８は溶液再循環ポンプ１７の吸込ライン１６を調整槽２２の流出ライン３０と結合し、そのライン３０には、遮断弁３１と処理剤供給ポンプ３２とが配置され、遮断弁３４を有し、調整槽２２に戻される戻りライン３３と、処理剤供給ポンプ３２の圧力側で連通する。補助薬剤槽３５が、一方で、遮断弁３６を有する流出ライン３７を介して、他方で、遮断弁３９を有する水洗または供給ライン３８を介して、戻りライン３３と連通する。補助薬剤槽３５は、特定の処理工程のために、食用塩のような好適な補助薬剤を含むことが可能で、この補助薬剤は、処理剤供給ポンプ３２及びライン３８を介して、液体、詳細には水を補助薬剤槽３５に流出ライン３７上の定められたレベルに導入することにより、槽内で溶解可能であり、溶解された補助薬剤は、次に流出ライン３７を介して水洗されて、戻りライン３３を介して調整槽２２に戻される。
【００２２】
溶液再循環ポンプ１７の吸込ライン１６から、矢印４２により示されるように、槽１または溶液サンプ１４外部に処理剤を排出することを可能にする遮断弁４１を有する排出ライン４０が分岐する。最後に、溶液再循環ポンプ１７の吸込ライン１６は、液体に関して、溶液再循環ポンプ１７の吸込側を槽１及び溶液サンプ１４から分離することができる遮断弁４３を有する。
【００２３】
４４で表されたコンピュータを用いて、種々の弁及びポンプが、プログラムにより駆動可能である。最も重要な弁及びポンプへの制御接続が、図１では、細線で表されている。コンピュータ４４への指令及び情報の人による入力は、４５において可能である。
【００２４】
簡単のために、コンピュータ４４及びその対応する制御線は、図２乃至図３から除去されている。
【００２５】
空気力学原理に基づき作動する、これまで説明した後染機械は、回転する繊維ロープ４に処理剤を均一に付与するため、本発明に従って、以下のように作動される。
【００２６】
図１に、後染機械の典型的な作動状態が模式的に示されている。弁２５，２７，２９，４１は、閉止されている。処理剤ポンプ２３は停止され、このため、調整槽２２は、水力学的に、実際の機械自体、すなわち槽１から完全に分離されている。第１の方法ステップでは、すべての処理剤、すなわち処理溶液全部が、機械外部の調整槽２２に用意される。この工程で、塩のような補助薬剤が、補助薬剤槽３５から調整槽２２に導入されて溶解可能である。この目的のために必要とされるライン接続が、図１では、太線で示されている。溶解した補助薬剤は、供給ポンプ３２により、弁３１，３４，３６，３９が開放されたライン３０，３３，３７，３８を介して調整槽２２に輸送される。
【００２７】
処理溶液のこの調整は、後染機械の作動と経時的に並行して、かつ、それとは独立して実行可能である。すなわち、後染機械自体は、異なる処理工程で、なお作動しており、その工程では、回転するロープ４が、槽１に存在し、弁４３，２０が開放されたライン１６，１８，２１を経由して、ベンチュリ給送ノズル６及び槽１を介した溶液再循環ポンプ１７により、循環される処理溶液で処理される。
【００２８】
図２に示す第２の処理ステップの始めに、補助薬剤槽３５に保持された補助薬剤は、溶解されて、その全体が、調整槽２２に保持された追加の薬剤に加えられる。弁２５，２７，２９，３１，３４が閉止される。処理剤ポンプ２３は停止しており、溶液再循環ポンプ１７が停止される。弁４１，４３が開放されて、前の処理ステップで発生したすべての処理溶液を排出ライン４０を介して排出させる。このため、この処理ステップの終わりに、槽１は、完全に空にされる。
【００２９】
図３に示す第３の方法ステップでは、弁２５，２７，３１，３４，４１，４３及び弁３６，３９が閉止され、一方、第２の接続ライン２８に配置された弁２９は、開放される。処理剤ポンプ２３は、停止している。
【００３０】
遮断弁４３が閉止されると、調整槽２２と槽１との間の接続が中断され、溶液再循環ポンプ１７の吸込側が接続ライン２８を介して調整槽出口２４と連通するので、この方法ステップでは、調整槽２２に配置された処理溶液は、溶液再循環ポンプ１７により、このとき調整槽２２外部に吸引され、弁２０が開放されてライン２８，１８，２１を介してベンチュリ給送ノズル６に輸送され、これにより、繊維製品の移動するロープ４に付与される。溶液再循環ポンプ１７の圧力ライン２１から、弁４６を介して、ライン４７が分岐しており、ライン４７は、槽１の上部領域に通じ、必要とされるように及び現在の処理操作に応じて、圧力ライン２１から追加の処理薬剤が向きを変更して、槽１内のロープ４に直接付与することを可能にする。
【００３１】
この処理ステップ中、移動するロープ４から滴下した処理溶液は、槽１に保持され、溶液収集器として機能する槽下方の溶液サンプ１４に受けられ、その結果、貯蔵容器８に配置され、折り畳まれたロープは、もはや、この収集された処理溶液と接触しない。
【００３２】
再循環ポンプの吸込ライン１６の遮断弁４３が閉止されるので、溶液再循環ポンプ１７、従ってベンチュリ給送ノズル６を通過するロープ４は、処理溶液、すなわち、その濃度が一定に保持される処理剤が、調整槽２２から直接、一定に供給される。ロープ４から滴下した処理溶液の調整槽２２に保持された新規の処理剤との混合は防止され、結果的に、ロープ４への付与中、処理剤濃度が、変更されることはない。
【００３３】
処理剤の回転するロープ４への付与は、第３の処理ステップで、処理剤がロープの僅かな回転のみでロープに均一に付与されるように、コンピュータ４４により達成される電子制御によって、調整される。原理的には、ロープの１回転が、処理剤を均一に付与するのに十分であり、その結果、付与された処理剤のいかなる濃度変化も、ロープの開始部からその終端まで発生しない。
【００３４】
移動するロープ４への処理剤の均一な付与のために、コンピュータ４４は、溶液再循環ポンプ１７、及び／又は圧力ラインの調整弁２０、及び／又はブロワ１１、または圧力ライン１３の絞り弁４８と連動する。コンピュータ４４は、ロープ４の商品特性、及び／又は構造特性、及び／又は処理特性データ、またはベンチュリ給送ノズル６に基づいて計算された計算モデルがプログラムされている。
【００３５】
方法ステップの最後に、弁２９が閉止され、遮断弁４３が開放され、その結果、ロープから滴下して槽及び溶液サンプ１４に存在する処理溶液が、これから機械内部で循環する。
【００３６】
図３とともに説明され、処理剤が、回転するロープ４に付与される方法ステップの完了後、さらなる添加物が槽１の処理剤浴に導入されるさらなる方法ステップが追加的に実行可能である。１つの例が図４に示される。
【００３７】
弁２０，４６が閉止され、弁４１，２５，２９，３４，３１も同様である。吸込ライン１６に配置された弁４３が開放され、接続ライン２６に配置された弁２７も同様である。このため、溶液再循環ポンプ１７は、溶液サンプ（収集槽）１４に保持された溶液を輸送して、弁４３，２７を介して調整槽２２に戻すことができる。弁２０，４６が閉止されているので、帰還輸送されるいかなる処理溶液も、槽１またはベンチュリ給送ノズル６に到達できない。次の処理ステップのために特性及び／又は濃度を適切に調整するために、調整槽２２に帰還輸送される処理溶液は、このとき、さらなる補助薬剤が添加可能である。弁２７，４２を介したラインの経路は、図４に非常に強調して示されている。
【００３８】
調整槽２２に存在する処理剤は、必要な場合、弁４３，２０，４６が閉止された状態で、弁２５，２７が開放されることにより、再循環可能であり、その結果、ポンプ２３，１７は、ライン２４，２６を介して処理剤を循環して輸送可能である。
【００３９】
一旦、槽２２に存在する処理溶液の特性及び／又は濃度が、次の処理ステップのために、再調整されると、処理溶液は、上述され図３に示されるように、再度、機械に搬送されて商品に搬送される。
【００４０】
ベンチュリ給送ノズル６内を移動するロープ４に単位時間当たり付与される処理剤の量は、コンピュータ４４により、既に説明したように、ロープ４全体の処理剤の実質的に均一な分布が達成されるように、制御される。コンピュータ４４のプログラミング及び機械オペレータにより入力されたデータに応じて、移動するロープ４に対する処理剤の最適分布が形成される。処理剤の付与は、ロープの１以上の回転にわたって実行可能である。
【００４１】
新規な方法では、ロープ４の回転速度は、必要な場合には、ロープ４への処理剤の付与中に、コンピュータ４４により変更可能である。しかし、回転速度は、一定に維持されることも可能である。
【００４２】
上述した例示的な実施形態では、処理剤は、説明したように（図３）、給送ノズル６内に射出され、これによりロープ４に付与される。しかし、その代わりにまたは追加して、新規な方法は、処理剤が、ロープの移動に関して、給送ノズル６の上流及び／又は下流で、ロープ４に付与されるようにも実行可能である。
【００４３】
コンピュータ４４により制御される、ロープ４への処理剤付与は、移動するロープ４への処理剤付与について定義可能で、本方法の工程中に取得されるデータの関数としても制御可能である。これらのデータは、その中で制御プログラムが基づく計算モデルをコンピュータ４４が使用する制御プログラムに関連して、コンピュータ４４により処理される。このために、ロープ４及び追加的に処理剤をモニタする好適なセンサ手段が提供される。
【００４４】
最後に、処理剤を付与する際、ロープ４の処理は、ロープに付与される処理剤の量が、調整槽２２からの処理剤の好適な抜き出しにより決定されるようにも可能である。このことは、例えば、図３において、弁２９が対応して起動されるように、または調整槽２２に保持された処理剤の量が対応して測定されるように、実行可能である。
【図面の簡単な説明】
【００４５】
【図１】空気力学原理の後染機械の、染色機械の調整槽で処理剤を調整するときの状態を示す模式的な断面図を示す。
【図２】図１の後染機械の、処理剤が処理槽から排出されているときの状態を示す簡略化した対応する図である。
【図３】図１の後染機械の、処理剤をベンチュリ給送ノズルに射出するときの状態を示す、簡略化した対応する図である。
【図４】図１の後染機械の、追加の薬品の処理剤への添加を示す、簡略化した対応する図である。
【符号の説明】
【００４６】
１    槽
４    ロープ
６    ベンチュリ給送ノズル
１４  溶液サンプ
１６  吸込ライン
１７  溶液再循環ポンプ
１８  圧力ライン
２１  圧力ライン
２２  調整槽
３０  流出ライン
３１  遮断弁
３３  戻りライン
３４  遮断弁
３５  補助薬剤槽
３６  遮断弁
３９  遮断弁
４３  遮断弁
４４  コンピュータ
【図１】
2006348459.tif 000003
【図２】
2006348459.tif 000004
【図３】
2006348459.tif 000005
【図４】
2006348459.tif 000006